(57)【特許請求の範囲】
【請求項１】
複数個の記録素子が印刷媒体の幅方向に配置された印刷部を備えた印刷装置であって、
前記複数個の記録素子の各々について記録濃度を補正するための補正用チャートを印刷媒体に印刷させる印刷手段と、
前記印刷媒体に印刷された補正用チャートについて濃度情報を取得する補正用チャート濃度情報取得手段と、
前記補正用チャートの濃度情報に基づいて、前記複数個の記録素子のうちの連続した記録素子の範囲について少なくとも二つの異なる個数を移動平均幅として設定し、前記複数個の記録素子ごとの濃度情報について前記移動平均幅ごとに濃度情報の移動平均値を求め、前記移動平均値のうち、小なる移動平均幅の移動平均値を実測データとし、大なる移動平均幅の移動平均値を実測データの平均値として標準偏差を求め、前記標準偏差を判定値とし、前記判定値が閾値より大きい場合には、前記印刷媒体に変形が生じていると判定する印刷媒体変形判定手段と、
を備えていることを特徴とする印刷装置。
【請求項２】
請求項１に記載の印刷装置において、
前記印刷媒体変形判定手段は、前記小なる移動平均幅の移動平均値について濃度平均値を求め、前記濃度平均値に対する前記標準偏差の割合を前記判定値とすることを特徴とする印刷装置。
【請求項３】
請求項１または２に記載の印刷装置において、
前記印刷媒体変形判定手段が変形有りと判定した場合に、前記印刷媒体の変形に応じた移動平均幅の濃度情報により、前記複数個の記録素子の各々の記録濃度を補正する記録素子濃度補正手段をさらに備えていることを特徴とする印刷装置。
【請求項４】
複数個の記録素子が印刷媒体の幅方向に配置された印刷部を備えた印刷装置における印刷媒体の変形検出方法であって、
前記複数個の記録素子の各々について記録濃度を補正するための補正用チャートを印刷媒体に印刷させる印刷過程と、
前記印刷媒体に印刷された補正用チャートについて濃度情報を取得する濃度情報取得過程と、
前記補正用チャートの濃度情報に基づいて、前記複数個の記録素子のうちの連続した記録素子の範囲について少なくとも二つの異なる個数を移動平均幅として設定し、前記複数個の記録素子ごとの濃度情報について前記移動平均幅ごとに濃度情報の移動平均値を求める移動平均値算出過程と、
前記移動平均値のうち、小なる移動平均幅の移動平均値を実測データとし、大なる移動平均幅の移動平均値を実測データの平均値として標準偏差を求める標準偏差算出過程と、
前記標準偏差を判定値とし、前記判定値が閾値より大きい場合には、前記印刷媒体に変形が生じていると判定する判定過程と、
を実施することを特徴とする印刷媒体の変形検出方法。
【請求項５】
請求項４に記載の印刷媒体の変形検出方法において、
前記判定過程の前に、前記小なる移動平均幅の移動平均値について濃度平均値を求める濃度平均値算出過程と、
前記前記濃度平均値に対する前記標準偏差の割合を算出する変動率算出過程と、
を実施し、
前記判定過程は、前記割合を前記判定値とすることを特徴とする印刷媒体の変形検出方法。
【発明の詳細な説明】
【技術分野】
【０００１】
本発明は、複数個の記録素子を備えた印刷部によって印刷媒体に対して画像を形成する印刷装置及び印刷媒体の変形検出方法に関する。
【背景技術】
【０００２】
従来、この種の装置として、例えば、インク滴を吐出して連続紙に画像を印刷するインクジェット印刷装置がある。
【０００３】
このインクジェット印刷装置は、連続紙の幅方向に複数個のノズルを配置されたインクジェットヘッドを備え、このインクジェットヘッドからインク滴を吐出することで画像を形成する。しかしながら、各ノズルのインク吐出特性にはバラツキがあるので、その特性のバラツキを補正するシェーディング補正というものが一般的に行われている。具体的には、所定濃度の補正用チャートを印刷した後、その補正用チャートを光学的に読み取り、各ノズルに対応する部分の濃度を測定する。そして、所定濃度との差に応じてノズルごとに補正を行って、全てのノズルで同じ濃度の印刷結果となるようにしている（例えば、特許文献１参照）。
【０００４】
ところで、インク滴吐出による用紙の膨潤、あるいは乾燥処理により、連続紙には、搬送時にコクリング（cockling）と呼ばれる波打ち現象が紙面に生じ、紙面に変形が生じることがある。連続紙に変形が生じていると、光学的に補正用チャートを読み取った際にその影響を受けるので、各ノズルに対応する部分の濃度に変形に応じた濃淡差が現れる。このような状態で測定した濃度値に基づいてシェーディング補正を行うと、過補正となって適切な補正ができない。変形の発生は、連続紙の前塗布の有無や紙厚などの印刷条件にある程度の相関があることが経験的にわかっているので、変形が発生しやすい印刷条件であるとオペレータが判断した場合には、シェーディング補正時の処理条件を変えて変形に起因する悪影響を抑制するようにしている。
【０００５】
しかしながら、印刷条件だけでは変形が生じるかどうか判断できない場合があるので、変形の発生を検出する装置が提案されている（例えば、特許文献２）。この装置は、連続紙が巻かれた状態において光学的に変形を検出するようになっている。
【先行技術文献】
【特許文献】
【０００６】
【特許文献１】特開２０１４−２７５２７号公報
【特許文献２】特開２００１−４１７２６号公報
【発明の概要】
【発明が解決しようとする課題】
【０００７】
しかしながら、このような構成を有する従来例の場合には、次のような問題がある。
すなわち、従来の装置は、連続紙を巻き取った状態で変形を判断するので、印刷装置のように搬送中に変形が生じる場合には適用することができない。したがって、連続紙に変形が生じたことを検出することができないという問題がある。
【０００８】
本発明は、このような事情に鑑みてなされたものであって、読み取った補正用チャートに画像処理を施すことにより、印刷媒体に変形が生じたことを正確に検出することができる印刷装置及び印刷媒体の変形検出方法を提供することを目的とする。
【課題を解決するための手段】
【０００９】
本発明は、このような目的を達成するために、次のような構成をとる。
すなわち、請求項１に記載の発明は、複数個の記録素子が印刷媒体の幅方向に配置された印刷部を備えた印刷装置であって、前記複数個の記録素子の各々について記録濃度を補正するための補正用チャートを印刷媒体に印刷させる印刷手段と、前記印刷媒体に印刷された補正用チャートについて濃度情報を取得する補正用チャート濃度情報取得手段と、前記補正用チャートの濃度情報に基づいて、前記複数個の記録素子のうちの連続した記録素子の範囲について少なくとも二つの異なる個数を移動平均幅として設定し、前記複数個の記録素子ごとの濃度情報について前記移動平均幅ごとに濃度情報の移動平均値を求め、前記移動平均値のうち、小なる移動平均幅の移動平均値を実測データとし、大なる移動平均幅の移動平均値を実測データの平均値として標準偏差を求め、前記標準偏差を判定値とし、前記判定値が閾値より大きい場合には、前記印刷媒体に変形が生じていると判定する印刷媒体変形判定手段と、を備えているものである。
【００１０】
［作用・効果］請求項１に記載の発明によれば、印刷媒体変形判定手段は、印刷手段で印刷され、補正用チャート濃度情報取得手段で取得された補正用チャートの濃度情報に基づいて、連続した記録素子の範囲について少なくとも二つの異なる個数を移動平均幅として設定する。そして、複数個の記録素子ごとの濃度情報について移動平均幅ごとに濃度情報の移動平均値を求め、小なる移動平均幅の移動平均値を実測データとし、大なる移動平均幅の移動平均値を実測データの平均値として標準偏差を求める。この標準偏差は、濃度情報の大なる移動平均幅の移動平均値に対する濃度情報の小なる移動平均幅の移動平均値の偏差を表しており、これらには元々複数個の記録素子に存在する濃度のバラツキが含まれているので、その偏差は、補正用チャートが印刷された印刷媒体に生じている変形に起因する。したがって、この標準偏差を判定値とし、この判定値が閾値よりも大きい場合には変形が生じていることを正確に判定できる。
【００１１】
また、本発明において、前記印刷媒体変形判定手段は、前記小なる移動平均幅の移動平均値について濃度平均値を求め、前記濃度平均値に対する前記標準偏差の割合を前記判定値とすることが好ましい（請求項２）。
【００１２】
印刷媒体の種類によっては、同じ濃度の補正用チャートを印刷しても、濃度情報が異なる場合がある。そのため印刷媒体の種類によって標準偏差が変動するので、判定値を標準偏差だけにすると、判定を誤る場合が生じ得る。そこで、小なる移動平均幅の移動平均値に基づいて濃度平均値を求め、この濃度平均値に対する標準偏差の割合を判定値とすることにより、印刷媒体の種類にかかわらず変形が生じていることを正確に判定できる。
【００１３】
また、本発明において、前記印刷媒体変形判定手段が変形有りと判定した場合に、前記印刷媒体の変形に応じた移動平均幅の濃度情報により、前記複数個の記録素子の各々の記録濃度を補正する記録素子濃度補正手段をさらに備えていることが好ましい（請求項３）。
【００１４】
印刷媒体変形判定手段が印刷媒体に変形があると判定した場合には、そのまま濃度情報に基づいて複数個の記録素子の各々の記録濃度を補正するシェーディング補正すると過補正となる。そこで、記録素子濃度補正手段が、変形に応じた移動平均幅の濃度情報により複数個の記録素子の各々の記録濃度を補正する。
【００１５】
なお、変形に応じた移動平均幅の濃度情報とは、変形に起因する補正用チャートにおける濃淡差の周期よりも大きな移動平均幅の濃度情報のことをいう。変形に起因する補正用チャートにおける濃淡差の周期よりも小さな移動平均幅の濃度情報に基づいてシェーディング補正を行うと、その濃淡差の影響を受けるが、濃淡差の周期よりも大きな移動平均幅の濃度情報を用いることにより、変形の影響を抑制して精度よくシェーディング補正を行うことができる。
【００１６】
また、請求項４に記載の発明は、複数個の記録素子が印刷媒体の幅方向に配置された印刷部を備えた印刷装置における印刷媒体の変形検出方法であって、前記複数個の記録素子の各々について記録濃度を補正するための補正用チャートを印刷媒体に印刷させる印刷過程と、前記印刷媒体に印刷された補正用チャートについて濃度情報を取得する濃度情報取得過程と、前記補正用チャートの濃度情報に基づいて、前記複数個の記録素子のうちの連続した記録素子の範囲について少なくとも二つの異なる個数を移動平均幅として設定し、前記複数個の記録素子ごとの濃度情報について前記移動平均幅ごとに濃度情報の移動平均値を求める移動平均値算出過程と、前記移動平均値のうち、小なる移動平均幅の移動平均値を実測データとし、大なる移動平均幅の移動平均値を実測データの平均値として標準偏差を求める標準偏差算出過程と、前記標準偏差を判定値とし、前記判定値が閾値より大きい場合には、前記印刷媒体に変形が生じていると判定する判定過程と、を実施することを特徴とするものである。
【００１７】
［作用・効果］請求項４に記載の発明によれば、印刷過程で印刷された補正用チャートの濃度情報を濃度情報取得過程で取得する。移動平均値算出過程では、補正用チャートの濃度情報に基づいて、連続した記録素子の範囲について少なくとも二つの異なる個数を移動平均幅として設定し、複数個の記録素子ごとの濃度情報について移動平均幅ごとに濃度情報の移動平均値を求める。そして、標準偏差算出過程では、小なる移動平均幅の移動平均値を実測データとし、大なる移動平均幅の移動平均値を実測データの平均値として標準偏差を求める。この標準偏差は、大なる移動平均幅の移動平均値に対する小なる移動平均幅の移動平均値の偏差を表しており、これらには元々複数個の記録素子に存在する濃度のバラツキが含まれているので、その偏差は、補正用チャートが印刷された印刷媒体に生じている変形に起因する。したがって、判定過程では、この標準偏差を判定値とし、この判定値が閾値よりも大きい場合には変形が生じていることを正確に判定できる。
【００１８】
また、本発明において、前記判定過程の前に、前記小なる移動平均幅の移動平均値について濃度平均値を求める濃度平均値算出過程と、前記前記濃度平均値に対する前記標準偏差の割合を算出する変動率算出過程と、を実施し、前記判定過程は、前記割合を前記判定値とすることが好ましい（請求項５）。
【００１９】
濃度平均値算出過程では、小なる移動平均幅の移動平均値に基づいて濃度平均値を求め、変動率算出過程では、この濃度平均値に対する標準偏差の割合を求め、判定過程ではこれを判定値とする。これにより、印刷媒体の種類にかかわらず変形が生じていることを正確に判定できる。
【発明の効果】
【００２０】
本発明に係る印刷装置によれば、印刷媒体変形判定手段は、印刷手段で印刷され、補正用チャート濃度情報取得手段で取得された補正用チャートの濃度情報に基づいて、連続した記録素子の範囲について少なくとも二つの異なる個数を移動平均幅として設定する。そして、複数個の記録素子ごとの濃度情報について移動平均幅ごとに濃度情報の移動平均値を求め、小なる移動平均幅の移動平均値を実測データとし、大なる移動平均幅の移動平均値を実測データの平均値として標準偏差を求める。この標準偏差は、大なる移動平均幅の移動平均値に対する小なる移動平均幅の移動平均値の偏差を表しており、これらには元々複数個の記録素子に存在する濃度のバラツキが含まれているので、その偏差は、補正用チャートが印刷された印刷媒体に生じている変形に起因する。したがって、この標準偏差を判定値とし、この判定値が閾値よりも大きい場合には変形が生じていることを正確に判定できる。
【図面の簡単な説明】
【００２１】
【図１】実施例に係るインクジェット印刷システムの全体を示す概略構成図である。
【図２】連続紙と各印刷ヘッドとの平面視における位置関係を示す平面図である。
【図３】（ａ）及び（ｂ）は、シェーディング補正を説明する模式図である。
【図４】シェーディング補正動作を示すフローチャートである。
【図５】第１の種類の連続紙に印刷された補正用チャートを読み取った状態を示す模式図である。
【図６】第２の種類の連続紙に印刷された補正用チャートを読み取った状態を示す模式図である。
【図７】第１の種類の連続紙の濃度情報（移動平均幅＝５０）を示すグラフである。
【図８】第１の種類の連続紙の濃度情報（移動平均幅＝５００）を示すグラフである。
【図９】第２の種類の連続紙の濃度情報（移動平均幅＝５０）を示すグラフである。
【図１０】第２の種類の連続紙の濃度情報（移動平均幅＝５００）を示すグラフである。
【図１１】移動平均の説明に供する図である。
【図１２】変動率などの算出結果を示す図である。
【図１３】３σのグラフである。
【図１４】変動率のグラフである。
【発明を実施するための形態】
【００２２】
以下、図面を参照して本発明の一実施例について説明する。
図１は、実施例に係るインクジェット印刷システムの全体を示す概略構成図であり、図２は、連続紙と各印刷ヘッドとの平面視における位置関係を示す平面図である。
【００２３】
実施例に係るインクジェット印刷システムは、給紙部１と、インクジェット印刷装置３と、排紙部５とを備えている。
【００２４】
給紙部１は、ロール状の連続紙ＷＰを水平軸周りに回転可能に保持し、インクジェット印刷装置３に対して連続紙ＷＰを巻き出して供給する。排紙部５は、インクジェット印刷装置３で印刷された連続紙ＷＰを水平軸周りに巻き取る。連続紙ＷＰの供給側を上流とし、連続紙ＷＰの排紙側を下流とすると、給紙部１はインクジェット印刷装置３の上流側に配置されており、排紙部５はインクジェット印刷装置３の下流側に配置されている。
【００２５】
インクジェット印刷装置３は、給紙部１からの連続紙ＷＰを取り込むための駆動ローラ７を上流側に備えている。駆動ローラ７によって給紙部１から巻き出された連続紙ＷＰは、複数個の搬送ローラ９に沿って下流側の排紙部５に向かって搬送される。最下流の搬送ローラ９と排紙部５との間には、駆動ローラ１１が配置されている。この駆動ローラ１１は、搬送ローラ９上を搬送されている連続紙ＷＰを排紙部５に向かって送り出す。
【００２６】
なお、上述したインクジェット印刷装置３が本発明における「印刷装置」に相当し、連増資ＷＰが本発明における「印刷媒体」に相当する。
【００２７】
インクジェット印刷装置３は、駆動ローラ７と駆動ローラ１１との間に、印刷ユニット１３と、乾燥部１５と、検査部１７とを上流側からその順で備えている。乾燥部１５は、印刷ユニット１３によって印刷された部分の乾燥を行う。検査部１７は、印刷された部分に汚れや抜け等がないかを検査する。また、検査部１７は、後述する補正用チャートを読み取って、補正用チャートを濃度に関連する情報に変換する。
【００２８】
印刷ユニット１３は、インク滴を吐出する複数個の印刷ヘッド１９を備えている。本実施例では、印刷ヘッド１９に印刷ヘッド１９が４個備えられている構成を例にとって説明する。ここでは、各印刷ヘッド１９を、上流側から順に、印刷ヘッド１９ａと、印刷ヘッド１９ｂと、印刷ヘッド１９ｃと、印刷ヘッド１９ｄとする。本明細書では、各印刷ヘッド１９を区別する必要がある場合には、符号１９にアルファベット（ａなど）を付加するが、区別する必要がない場合には、符号１９のみとする。各印刷ヘッド１９は、それぞれインク滴を吐出する複数個のノズル２１を備えている。
【００２９】
複数個のノズル２１は、連続紙ＷＰの搬送方向と、連続紙ＷＰの搬送方向と直交する方向（連続紙ＷＰの幅方向）に配置されている。これらの印刷ヘッド１９ａ〜１９ｄは、少なくとも二色のインク滴を吐出し、連続紙ＷＰに多色印刷が可能に構成されている。ここでは、例えば、印刷ヘッド１９ａがブラック（Ｋ）インクを吐出し、印刷ヘッド１９ｂがシアン（Ｃ）インクを吐出し、印刷ヘッド１９ｃがマゼンタ（Ｍ）インクを吐出し、印刷ヘッド１９ｄがイエロー（Ｙ）インクを吐出する。各印刷ヘッド１９ａ〜１９ｄは、搬送方向に沿って所定距離だけ離間して配置されている。
【００３０】
なお、上述した印刷ヘッド１９が本発明における「印刷部」に相当し、複数個のノズル２１が本発明における「複数個の記録素子」に相当する。
【００３１】
制御部２５は、図示しないＣＰＵやメモリ等によって構成されている。具体的には、制御部２５は、印刷制御部２７と、濃度情報取得部２９と、移動平均算出部３１と、標準偏差算出部３３と、判定部３５と、閾値記憶部３７と、濃度平均値算出部３９と、シェーディング補正データ生成部４１とを備えている。
【００３２】
印刷制御部２７は、図示しない外部コンピュータから印刷データを受け取って、印刷処理用データに変換した後、駆動ローラ７，１１を操作して連続紙ＷＰを搬送させつつ、印刷処理用データに応じて印刷ヘッド１９からインク滴を吐出させ、印刷データに基づく画像を連続紙ＷＰに印刷させる。制御部２５は、各ノズル２１の各々について濃度を補正するための補正用チャートの印刷処理用データを予め記憶している。インクジェット印刷システムのオペレータが補正用チャートの印刷を指示すると、制御部２５は、補正用チャートの印刷処理用データを読み出して、駆動ローラ７，１１及び印刷ヘッド１９を操作して補正用チャートを連続紙ＷＰに印刷させる。具体的には、図２に示すような補正用チャートＣＣがある。この補正用チャートＣＣは、例えば、連続紙ＷＰの幅方向に沿った各ノズル２１からは同じ印刷濃度となるようにインクが吐出され、連続紙ＷＰの搬送方向に沿って所定幅の印刷の後、印刷濃度が徐々に低くなるように設定されている。
【００３３】
なお、上述した印刷ヘッド１９と印刷制御部２７とが本発明における「印刷手段」に相当する。
【００３４】
ここで図３を参照する。なお、図３（ａ）及び（ｂ）は、シェーディング補正を説明する模式図である。
【００３５】
印刷ヘッド１９は、上述したように、連続紙ＷＰの搬送方向と直交する方向に複数個のノズル２１を備えている。複数個のノズル２１の吐出特性にはバラツキがあるのが一般的であるので、図３（ａ）に示すように、同じ濃度での印刷を指示しても複数個のノズル２１には濃度値のバラツキが生じる。そこで、複数種類の濃度が異なる帯状パターン（例えば、１００％、８０％、６０％、４０％、２０％、５％）を含む補正用チャートＣＣを連続紙ＷＰに印刷させた後、検査部１７で補正用チャートＣＣを読み取り、濃度情報取得部２９で濃度に関連する情報を取得する。その濃度情報から各ノズル２１の濃度値を読み取り、同じ濃度で印刷するように信号が与えられた際に、図３（ｂ）に示すように、濃度値が全ノズル２１で同一となるような補正を行うためのシェーディング係数を求める。この処理を行うのがシェーディング補正データ生成部４１であり、この結果を反映させつつ印刷データを印刷処理用データに変換し、印刷処理用データによる印刷を行うのが印刷制御部２７である。
【００３６】
なお、上記の検査部１７及び濃度情報取得部２９が本発明における「補正用チャート濃度情報取得手段」に相当し、印刷制御部２７が本発明における「記録素子濃度補正手段」に相当する。
【００３７】
ここで図１に戻る。濃度情報取得部２９は、検査部１７で読み取った補正用チャートＣＣから全ノズル２１についての濃度情報を取得する。移動平均算出部３１は、連続紙ＷＰの搬送方向と直交する方向に配置されたノズル２１の濃度情報について、連続紙ＷＰの搬送方向と直交する方向に配列されたノズル２１のうち連続したノズル２１の濃度情報の範囲において少なくとも二種類の個数のノズル２１を移動平均幅として設定し、二種類の移動平均幅で濃度情報の移動平均値を算出する。ここでは、移動平均幅を、例えば、５０個と５００個の二種類とする。この移動平均幅は、二種類に限定されることなく、三種類以上であってもよい。但し、後述する処理には、そのうちの二種類を用いる。選択される二種類の移動平均幅は、判定のしやすさから、ノズル２１のバラツキの周期や、コクリングなどの変形の周期などを勘案して設定することが好ましい。
【００３８】
標準偏差算出部３３は、各移動平均幅の移動平均値のうち、小なる移動平均幅の移動平均値を、標準偏差を算出する数式における実測データとして取り扱い、大なる移動平均幅の移動平均値を、標準偏差を算出する数式における平均値として取り扱って標準偏差を算出する。例えば、ここで、移動平均幅＝５０の移動平均値をＤｍａ１とし、移動平均幅＝５００の移動平均値をＤｍａ２とした場合、標準偏差ＳＤは、次の式（１）によって算出される。
【００３９】
【数１】
0006386387.tif 000002
【００４０】
判定部３５は、濃度平均値算出部３９からの濃度平均値と、標準偏差算出部３３からの標準偏差ＳＤとから求められる標準偏差ＳＤに対する濃度平均値の割合（変動率）と、閾値記憶部３７に予め記憶されている閾値とを比較する。その結果、変動率が閾値より大きい場合には連続紙ＷＰにコクリングなどの変形が生じていると判定する。
【００４１】
上記の濃度平均値は、濃度平均値算出部３９が算出する。具体的には、小なる移動平均幅の移動平均値Ｄｍａ１について次の式（２）によって濃度平均値Ｄａｖを算出する。
【００４２】
【数２】
0006386387.tif 000003
【００４３】
上記の判定部３５で算出される変動率は、次の式（３）で算出される。
【００４４】
変動率ＲＶ＝（３ＳＤ／Ｄａｖ）×１００  ［％］    ……（３）
【００４５】
上述した閾値は、予め連続紙ＷＰに対する補正用チャートＣＣを印刷させ、コクリングなどの変形が生じている場合と変形なしの場合とのサンプルに基づいて適宜に決定すればよい。
【００４６】
なお、上記の移動平均算出部３１と、標準偏差算出部３３と、判定部３５と、濃度平均値算出部３９とが本発明における「印刷媒体変形判定手段」に相当する。
【００４７】
次に、図４を参照して上述したインクジェット印刷システムにおける連続紙ＷＰの変形を考慮したシェーディング補正動作について説明する。なお、図４は、シェーディング補正動作を示すフローチャートである。
【００４８】
ステップＳ１（印刷過程）
制御部２５は、図２に示すような補正用チャートＣＣを連続紙ＷＰに対して印刷させる。
【００４９】
ステップＳ２（濃度情報取得過程）
補正用チャートＣＣについて、検査部１７と濃度情報取得部２９により全ノズル２１と対応づけられた濃度情報（生データ）を取得する。
【００５０】
ここで図５及び図６を参照する。なお、図５は、第１の種類の連続紙に印刷された補正用チャートを読み取った状態を示す模式図であり、図６は、第２の種類の連続紙に印刷された補正用チャートを読み取った状態を示す模式図である。ここでは、比較しやすいように、コクリングなどの変形の生じやすさが異なる第１の種類の連続紙ＷＰと第２の種類の連続紙ＷＰを用いた例で説明する。
【００５１】
図５の補正用チャートＣＣと図６の補正用チャートＣＣとを比較すると、図６では図５に比較して縦縞状の濃度ムラが顕著になっている箇所があることがわかる。濃度ムラは複数個のノズル２１における吐出特性のバラツキにより避けられないがが、それが顕著に表れるのはコクリングなどによる連続紙ＷＰの変形に起因するムラである。この例では、第２の種類の連続紙ＷＰにおいて変形に起因するムラが領域ｃｋ付近で生じている。
【００５２】
ステップＳ３（移動平均値算出過程）
移動平均値算出部３１は、濃度情報（生データ）について二種類の移動平均幅の移動平均値を算出する。ここでは、上述したように移動平均幅＝５０（個）のＤｍａ１と、移動平均幅＝５００（個）のＤｍａ２を算出する。
【００５３】
ここで、図７〜図１０を参照して具体的な算出結果を例示する。なお、図７は、第１の種類の連続紙の濃度情報（移動平均幅＝５０）を示すグラフであり、図８は、第１の種類の連続紙の濃度情報（移動平均幅＝５００）を示すグラフである。また、図９は、第２の種類の連続紙の濃度情報（移動平均幅＝５０）を示すグラフであり、図１０は、第２の種類の連続紙の濃度情報（移動平均幅＝５００）を示すグラフである。
【００５４】
ステップＳ４（標準偏差算出過程）
標準偏差算出部３３は、二種類の移動平均幅の移動平均値に基づいて標準偏差ＳＤを算出する。標準偏差ＳＤの算出には、一般的な標準偏差の求め方とは若干異なる上述した（１）式を用いる。この標準偏差ＳＤは、例えば、移動平均の説明に供する図１１に示すように、一般的な標準偏差の考え方とは相違する。つまり、ここでいう標準偏差ＳＤは、長期移動平均値に対する短期移動平均値の差異ｇの偏りを表している。これらの二種類の移動平均値には元々全てのノズル２１に存在する濃度のバラツキが含まれている。コクリングなどの変形は、複数個のノズル２１の配置間隔よりは一般的に大きいので、短期の移動平均値にはその影響が現れやすいが、長期の移動平均値にはその影響が現れにくい。したがって、その偏差は、補正用チャートＣＣが印刷された連続紙ＷＰに生じている変形に起因する。したがって、このようにして求めた標準偏差ＳＤに基づいて連続紙ＷＰにコクリングなどの変形が生じているか否かを判定できる。
【００５５】
ステップＳ５（濃度平均値算出過程）
濃度平均値算出部３９は、小なる移動平均幅Ｄｍａ１の濃度平均値Ｄａｖを上述した（２）式により算出する。
【００５６】
ステップＳ６（変動率算出過程）
判定部３５は、変動率ＲＶを上述した（３）式により算出する。連続紙ＷＰの種類によっては、同じ濃度の補正用チャートＣＣを印刷しても、濃度情報が大きく異なる場合がある。そのため連続紙ＷＰの種類によって標準偏差ＳＤが大きく変動するので、判定値を標準偏差だけにすると、判定を誤る場合が生じ得る。そこで、小なる移動平均幅の移動平均値Ｄｍａ１に基づいて濃度平均値Ｄａｖを求め、この濃度平均値Ｄａｖに対する三倍の標準偏差ＳＤである３σの割合である変動率ＲＶを判定値とすることにより、連続紙ＷＰの種類にかかわらず変形が生じていることを正確に判定できる。
【００５７】
ステップＳ７（判定過程）
判定部３５は、変動率ＲＶと閾値との比較結果に基づいて処理を分岐する。変動率ＲＶが閾値以下である場合には、ステップＳ８に処理を分岐し、変動率ＲＶが閾値より大きい場合には、ステップＳ９に処理を分岐する。具体的な変動率などの算出結果を示す図１２に示すように、閾値を３程度にすれば、変動率ＲＶで変形を正確に判定できることがわかる。
【００５８】
ステップＳ８
シェーディング補正データ生成部４１は、コクリングなどの変形を考慮しない通常のシェーディング係数を生成する。
【００５９】
ステップＳ９
シェーディング補正データ生成部４１は、連続紙ＷＰにおけるコクリングなどの変形を考慮したシェーディング係数を生成する。具体的には、変形に応じた移動平均幅の濃度情報によるシェーディング係数の生成であり、濃度情報の大なる移動平均幅の移動平均値に基づいてシェーディング係数を生成する。
【００６０】
なお、変形に応じた移動平均幅の濃度情報とは、変形に起因する補正用チャートＣＣにおける濃淡差の周期よりも大きな移動平均幅の濃度情報のことをいう。変形に起因する補正用チャートＣＣにおける濃淡差の周期よりも小さな移動平均幅の濃度情報に基づいてシェーディング補正を行うと、その濃淡差の影響を強く受けるが、濃淡差の周期よりも大きな移動平均幅の濃度情報を用いることにより、変形の影響を抑制して精度よくシェーディング補正を行うことができる。
【００６１】
上述したようにして連続紙ＷＰに補正用チャートＣＣを印刷させて予めシェーディング係数を生成し、その連続紙ＷＰに対して製品の印刷を行う際には印刷制御部２７がそのシェーディング係数により印刷を行う。これにより、連続紙ＷＰにおけるコクリングなど変形を考慮して、複数個のノズル２１の吐出特性に起因する濃度ムラを抑制した高品質の印刷が行われる。
【００６２】
ここで、図１３及び図１４を参照する。なお、図１３は、３σのグラフであり、図１４は、変動率のグラフである。これらのグラフの凡例におけるＬ１〜Ｌ４は、第１の種類の連続紙ＷＰのサンプルを表し、Ｓ１〜Ｓ４は、第２の種類の連続紙ＷＰのサンプルを表す。
【００６３】
図１３は３σであり、これでも第１の種類の連続紙ＷＰと第２の種類の連続紙ＷＰとを判別可能であるが、図１４の変動率に比較すると、二種類の連続紙ＷＰの間隔が狭くなっている。これは、３σを判定値とした場合に、閾値を設定することが難しく誤判定が生じる恐れがあることを示す。一方、図１４のように変動率では二種類の連続紙ＷＰの間隔が図１３よりも広くなっており、閾値を設定することが容易であることがわかる。
【００６４】
本実施例によると、制御部２５は、印刷ヘッド１９で印刷され、検査部１７及び濃度情報取得部２９で取得された補正用チャートＣＣの濃度情報に基づいて、連続したノズル２１の範囲について少なくとも二つの異なる個数を移動平均幅として設定する。そして、複数個のノズル２１ごとの濃度情報について移動平均幅ごとに濃度情報の移動平均値を求め、小なる移動平均幅の移動平均値Ｄｍａ１を実測データとし、大なる移動平均幅の移動平均値Ｄｍａ２を実測データの平均値として標準偏差ＳＤを求める。この標準偏差ＳＤは、大なる移動平均幅の移動平均値Ｄｍａ１に対する小なる移動平均幅の移動平均値Ｄｍａ２の偏差を表しており、これらには元々複数個のノズル２１に存在する濃度のバラツキが含まれているので、その偏差は、補正用チャートＣＣが印刷された連続紙ＷＰに生じている変形に起因する。したがって、この標準偏差ＳＤを判定値とし、この判定値が閾値よりも大きい場合には変形が生じていることを正確に判定できる。したがって、ノズルの吐出特性を適切に補正でき、印刷品質を向上できる。
【００６５】
本発明は、上記実施形態に限られることはなく、下記のように変形実施することができる。
【００６６】
（１）上述した実施例では、濃度平均値Ｄａｖに対する３倍の標準偏差ＳＤの割合である変動率ＲＶを判定値としたが、使用する連続紙ＷＰの種類のよっては判定値を単に標準偏差ＳＤとしてもよい。これにより、濃度平均値算出部３９を構成上省略することができ、装置のコストダウンを図ることができる。
【００６７】
（２）上述した実施例では、印刷装置としてインクジェット印刷装置３を例にとって説明したが、本発明はこの種の印刷装置に限定されるものではない。つまり、濃度のバラツキを補正する必要がある印刷装置であれば本発明を適用することができる。
【００６８】
（３）上述した実施例では、印刷媒体として連続紙ＷＰを例にとって説明したが、本発明はこれ以外の印刷媒体であっても適用できる。他の印刷媒体としては、例えば、フィルムや単票紙が挙げられる。
【符号の説明】
【００６９】
１  …  給紙部
３  …  インクジェット印刷装置
５  …  排紙部
ＷＰ  …  連続紙
１３  …  印刷ユニット
１７  …  検査部
１９  …  印刷ヘッド
２１  …  ノズル
２５  …  制御部
２７  …  印刷制御部
２９  …  濃度情報取得部
３１  …  移動平均算出部
３３  …  標準偏差算出部
３５  …  判定部
３７  …  閾値記憶部
４１  …  シェーディング補正データ生成部
ＣＣ  …  補正用チャート
Ｄｍａ１，Ｄｍａ２  …  移動平均値
ＳＤ  …  標準偏差
Ｄａｖ  …  濃度平均値
ＲＶ  …  変動率
【図１】
0006386387.tif 000004
【図２】
0006386387.tif 000005
【図３】
0006386387.tif 000006
【図４】
0006386387.tif 000007
【図５】
0006386387.tif 000008
【図６】
0006386387.tif 000009
【図７】
0006386387.tif 000010
【図８】
0006386387.tif 000011
【図９】
0006386387.tif 000012
【図１０】
0006386387.tif 000013
【図１１】
0006386387.tif 000014
【図１２】
0006386387.tif 000015
【図１３】
0006386387.tif 000016
【図１４】
0006386387.tif 000017